(57)【要約】【課題】簡単な構成で外観のよいカバー部材を正面側キャビネットに取り付ける。【解決手段】正面側キャビネット３の一部を覆う、光を透過する樹脂成形品であるカバー部材１０に、平板状のカバー本体１０ａと、カバー本体１０ａの周縁の一部から延び、正面側キャビネット３の側面の少なくとも一部を覆う側壁１０ｃと、側壁１０ｃから内側へ延び、正面側キャビネット３の側面に係合する突条１０ｄとを設ける。このとき、突条１０ｄは、１つのスライドコアによって一体形成可能な範囲に設けられる。【選択図】図１
2015073030.tif 000002
【特許請求の範囲】
【請求項１】
筐体の一部を覆う、光を透過するカバー部材を有する電子機器において、
上記カバー部材は、樹脂成形品であり、
平板状のカバー本体と、
上記カバー本体の周縁の一部から延び、上記筐体の側面の少なくとも一部を覆う側壁と、
上記側壁に内側へ延びるように連続して形成され、上記筐体の側面に係合する突条とを備え、
上記突条は、１つのスライドコアによって一体形成可能な範囲に設けられている
ことを特徴とする電子機器。
【請求項２】
請求項１に記載の電子機器において、
上記カバー本体は、略矩形状であり、最も長い長辺を除く３辺に上記側壁及び突条が形成されている
ことを特徴とする電子機器。
【請求項３】
請求項２に記載の電子機器において、
上記側壁の上記長辺側の一対の端部には、それぞれ上記筐体の被係合部に係合する係合爪が上記長辺に沿って伸びており、
上記係合爪の上記長辺と反対側の面が、上記筐体に設けた当接面に当接して上記カバー部材が位置決めされている
ことを特徴とする電子機器。
【請求項４】
請求項１から３までのいずれか１つに記載の電子機器において、
上記側壁の内側の面が非透過性に着色されている
ことを特徴とする電子機器。
【請求項５】
請求項１から４までのいずれか１つに記載の電子機器において、
上記カバー部材の奥側に導光部材が配置され、該導光部材によって発光素子からの光が導かれるように構成されている
ことを特徴とする電子機器。
【発明の詳細な説明】
【技術分野】
【０００１】
本発明は、筐体の一部を覆う、光を透過するカバー部材を有する電子機器に関するものである。
【背景技術】
【０００２】
従来より、装飾性を高めるために、透明又は半透明の光を透過するカバー部材で筐体の一部を覆うことが行われている。ネジ締結ではなく、爪嵌合でカバー部材を取り付けるには、外観を気にせず外から見える位置に爪嵌合部分を設けるか、例えば図９に示すカバー部材１１０のように、表面から見える範囲Ａを外した部分に筐体１０３に係合する係合爪１１１を設けることが行われている。このように外側へ突出する係合爪１１１を設けると、筐体１０３全体の外形が大きくなる。
【０００３】
そこで、例えば、特許文献１のように、半透明の押しボタン（カバー部材）に底側へ伸びる側壁を設け、この側壁の係合孔にケース（筐体）側の係合爪を係合させることも行われている。
【先行技術文献】
【特許文献】
【０００４】
【特許文献１】特開２００７−１０３１４２号公報
【発明の概要】
【発明が解決しようとする課題】
【０００５】
しかしながら、図９のカバー部材１１０も、特許文献１のカバー部材も、爪嵌合の構成上、それらの側面のほぼ全体を筐体で覆わざるを得ないので、カバー部材で筐体の側面まで覆うことが難しい。
【０００６】
本発明は、かかる点に鑑みてなされたものであり、その目的とするところは、簡単な構成で外観のよいカバー部材を筐体に取り付けることにある。
【課題を解決するための手段】
【０００７】
上記の目的を達成するために、この発明では、カバー部材の側壁内側に筐体の側面に係合する突条を設けた。
【０００８】
具体的には、本発明では、筐体の一部を覆う、光を透過するカバー部材を有する電子機器を前提とし、
上記カバー部材は、樹脂成形品であり、
平板状のカバー本体と、
上記カバー本体の周縁の一部から延び、上記筐体の側面の少なくとも一部を覆う側壁と、
上記側壁に内側へ延びるように連続して形成され、上記筐体の側面に係合する突条とを備え、
上記突条は、１つのスライドコアによって一体形成可能な範囲に設けられている。
【０００９】
上記の構成によると、突条を側壁から内側へ延びるように形成したので、外観として突条が見えにくく、仮に見えたとしても、１つのスライドコアによって形成されて金型の合わせラインが現れず、また連続して形成されているので、違和感が少ない。さらに、突条を筐体の側面に係合させるので、筐体の側面を覆うこともでき、電子機器の見映えがよい。
【発明の効果】
【００１０】
以上説明したように、本発明によれば、カバー部材に１つのスライドコアによって一体形成可能な範囲に突条を設け、筐体の側面に係合させるようにしたことにより、簡単な構成で外観のよいカバー部材を筐体に取り付けることができる。
【図面の簡単な説明】
【００１１】
【図１】図２のＩ−Ｉ線拡大断面図である。
【図２】本発明の実施形態に係るカバー部材を有する携帯電話機を示す斜視図である。
【図３】携帯電話機の分解斜視図である。
【図４】図３のIV部拡大斜視図である。
【図５】カバー部材を示し、（ａ）が正面図で、（ｂ）が背面図で、（ｃ）が斜視図である。
【図６】カバー部材及び導光部材を取り外した携帯電話機下部を拡大して示す斜視図である。
【図７】カバー部材を製造する金型の概略を示す断面図である。
【図８】図２のVIII−VIII線拡大断面図である。
【図９】従来のカバー部材の取付構造を示す断面図である。
【発明を実施するための形態】
【００１２】
以下、本発明の実施形態を図面に基づいて説明する。
【００１３】
図１〜図３は、本発明の実施形態の電子機器としての携帯電話機１を示し、この携帯電話機１は、例えば、タッチパネルを含む表示部２と、この表示部２を収容する筐体としての正面側キャビネット３と、この正面側キャビネット３を背面側から覆う背面側キャビネット４とを備え、背面側キャビネット４の背面がリアカバー５で覆われている。正面側キャビネット３の背面側には、基板組品６が設けられている。そして、本発明では、正面側キャビネット３の下端背面側には、外部プラグ用コネクタ７がフレキシブル基板８等により基板組品６に接続されている。その反対側に、例えば透明な樹脂成形品よりなるカバー部材１０が取り付けられている。外部プラグ用コネクタ７が設けられている関係で、発光素子としてのＬＥＤ９（図６にのみ示す）は、外部プラグ用コネクタ７を挟むように間隔を空けて一対設けられている。
【００１４】
図４〜図６に拡大して示すように、正面側キャビネット３には、一対のＬＥＤ９に対応させて矩形状の開口３ａが形成されている。この開口３ａに嵌め込まれる挿入部１１ａを有する略板状の導光部材１１が開口３ａに合わせて貫通孔を有する一対の導光部材用両面テープ１２で貼り付けられている。カバー部材１０は、導光部材１１の正面側に透明なカバー部材用両面テープ１３で貼り付けられている。
【００１５】
そして、本発明では、カバー部材１０は、両角部が丸まった略矩形平板状のカバー本体１０ａを有し、最も長いまっすぐな長辺１０ｂが携帯電話機１の上側を向くように取り付けられている。
【００１６】
このカバー本体１０ａの周縁の長辺１０ｂを除く部分には、正面側キャビネット３の側面の少なくとも一部を覆う側壁１０ｃが一体に形成されている。本実施形態では、側壁１０ｃは、カバー本体１０ａに対して垂直に形成されているが、傾斜していてもよい。また、カバー本体１０ａ及び側壁１０ｃは、左右角部が丸まっているが、角張っていてもよい。
【００１７】
そして、図１にも示すように、側壁１０ｃの端部から内側へ突条１０ｄが形成されている。この突条１０ｄは、側壁１０ｃの内面に対応する形状を有する１つのスライドコアを長辺１０ｂ側から出し入れすることで一体形成可能となっている。本実施形態では、突条１０ｄは、側壁１０ｃの端部に連続してほぼ同一断面で均一に形成されている。図７に簡単に示すように、カバー本体１０ａの厚さ方向に相対的に移動する上型５０及び下型５１に対し、カバー本体１０ａに沿って動くスライドコア５２を使用すればよい。このため、黒矢印で示す長辺１０ｂの方向から見てスライドコア５２の抜き方向にスライドコア５２の動きを邪魔する突起等が設けられていない。この側壁１０ｃの形状が異なる場合には、それに合わせて形成したスライドコア５２が長辺１０ｂから出し入れできるようにすればよく、カバー部材１０の樹脂材料自体を着色して半透明としてもよい。
【００１８】
また、図１に示すように、側壁１０ｃの内側の被透過面１４が非透過性の塗料、蒸着、メッキ等によって着色されている。このため、側壁１０ｃから内部の部品が被透過面１４によって見えにくくなって見映えがよくなっている。なお、必要に応じて他の面も着色してもよい。
【００１９】
一方、図６に示すように、正面側キャビネット３の下端側面には、下方へ突出する被係合部３ｂが形成されている。被係合部３ｂは、例えば、正面側キャビネット３の下端の直線部分に設けられている。本実施形態では、直線部分と少し間隔を空けて左右にも円弧状の被係合部３ｂが形成されている。図１に示すように、この被係合部３ｂの背面側に突条１０ｄが嵌まり込んでカバー部材１０が抜け止めされるようになっている。
【００２０】
また、図４及び図５に示すように、側壁１０ｃの長辺１０ｂ側の左右端部には、それぞれ正面側キャビネット３の被係合部３ｂに係合する係合爪１０ｅが長辺１０ｂに沿って（左右方向内側へ）伸びている。この係合爪１０ｅは、下端側の突条１０ｄを被係合部３ｂに突き当て、この部分を支点として徐々に回動させながらカバー部材１０を取り付けるときに、カバー部材１０が水平となる際に左右の被係合部３ｂの上方に嵌まり込むようになっている。そして、図８に示すように、係合爪１０ｅの下面の平坦な当接面１０ｇが、被係合部３ｂの上面３ｃに当接することで、カバー部材１０の位置決めがされている。
【００２１】
図１に示すように、カバー部材１０の取付状態では、長辺１０ｂの上端から肉厚が薄くなるように延びたリブ１０ｆが表示部２のガラスカバー２ａの背面側に入り込んで抜け止めの役割を果たしている。
【００２２】
このように本実施形態では、突条１０ｄを側壁１０ｃから内側へ延ばしたので、カバー部材１０を正面側キャビネット３に取り付けたときに、外側から突条１０ｄが見えにくく、仮に見えたとしても、１つのスライドコア５２によって形成されて金型の合わせライン５３が現れないので、違和感が少ない。透明部材であれば、合わせ面も外観として現れてしまうので、その効果は大きい。さらに、突条１０ｄをほぼ均一断面で連続して形成しているので、外側から突条１０ｄが見えたとしても違和感がない。
【００２３】
さらに、突条１０ｄを正面側キャビネット３の側面に係合させるので、正面側キャビネット３の側面を覆うこともでき、ＬＥＤ９の光が導光部材１１から導かれ、携帯電話機１の下側も照らすことができる。このため、極めて装飾性が高くなっている。
【００２４】
また、カバー部材１０の長辺１０ｂ側を開放することで、１つのスライドコア５２で突条１０ｄを形成できるだけでなく、取付の際にも突条１０ｄ側を支点として傾動させながら取り付けることもできる。
【００２５】
したがって、本実施形態に係る携帯電話機１によると、簡単な構成で外観のよいカバー部材１０を正面側キャビネット３に取り付けることができる。
【００２６】
（その他の実施形態）
本発明は、上記実施形態について、以下のような構成としてもよい。
【００２７】
すなわち、上記実施形態では、カバー部材１０を携帯電話機１の下端に設けているが、左右や上側に設けてもよい。上記実施形態では、筐体を正面側キャビネット３としたが、背面側キャビネット４やリアカバー５に取り付けてもよい。
【００２８】
また、本実施形態では、カバー部材１０の内側に導光部材１１及びＬＥＤ９を設けたが、これらの部材はなくてもよい。
【００２９】
また、突条１０ｄは、均一断面でなくてもよく、徐々に断面が変形してもよい。さらに突条１０ｄは、連続していなくてもよく、見映えが低下しない程度に分割されていてもよい。
【００３０】
上記実施形態では、電子機器は、携帯電話機１としたが、ＰＨＳ（Personal Handy-phone System）、ＰＤＡ(Personal Digital Assistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００３１】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３２】
１      携帯電話機（電子機器）
２      表示部
２ａ    ガラスカバー
３      正面側キャビネット（筐体）
３ａ    開口
３ｂ    被係合部
３ｃ    上面
４      背面側キャビネット
５      リアカバー
６      基板組品
７      外部プラグ用コネクタ
８      フレキシブル基板
９      ＬＥＤ（発光素子）
１０      カバー部材
１０ａ    カバー本体
１０ｂ    長辺
１０ｃ    側壁
１０ｄ    突条
１０ｅ    係合爪
１０ｆ    リブ
１０ｇ    当接面
１１      導光部材
１１ａ    挿入部
１２      導光部材用両面テープ
１３      カバー部材用両面テープ
１４      被透過面
５０      上型
５１      下型
５２      スライドコア
５３      ライン
【図１】
2015073030.tif 000003
【図２】
2015073030.tif 000004
【図３】
2015073030.tif 000005
【図４】
2015073030.tif 000006
【図５】
2015073030.tif 000007
【図６】
2015073030.tif 000008
【図７】
2015073030.tif 000009
【図８】
2015073030.tif 000010
【図９】
2015073030.tif 000011